(57)【特許請求の範囲】
【請求項１】
マエイタとウライタとを突き合わせて構成した箱体の上部天面を、機器の操作部を有するパネルＡと、パネルＢで構成し、パネルＡとパネルＢの両側面の合わせラインと、前記マエイタとウライタの両側面の合わせラインとを一致させるとともに、前記マエイタと前記パネルＡの色調を同一とし、かつ、前記ウライタと前記パネルＢの色調を、前記マエイタと前記パネルＡの色調と異なる色調で統一して構成しており、
前記ウライタと前記パネルＢの色は、前記マエイタと前記パネルＡの色より暗い濃い色とし、
パネルＡの突き合わせ端部にＵ溝を設け、パネルＢの端部の一部に前記Ｕ溝に嵌合するＬ型もしくは凸部のリブを設け、
パネルＡは前記リブを上から覆いかぶせるようにＵ溝に前記リブを嵌合した状態で、パネルＢがパネルＡより低い段差を形成することを特徴とする温風暖房機。
【請求項２】
マエイタとウライタとを突き合わせて構成した箱体の上部天面を、機器の操作部を有するパネルＡとパネルＢで構成し、パネルＡとパネルＢの両側面の合わせラインと、前記マエイタとウライタの両側面の合わせラインとを一致させるとともに、
パネルＡの突き合わせ端部にＵ溝を設け、パネルＢの端部の一部に前記Ｕ溝に嵌合するＬ型もしくは凸部のリブを設け、
パネルＡは前記リブを上から覆いかぶせるようにＵ溝に前記リブを嵌合した状態で、パネルＢがパネルＡより低い段差を形成することを特徴とする温風暖房機。
【請求項３】
パネルＢはパネルＡより耐熱温度の高い難燃性合成樹脂素材を使用することを特徴とする請求項１又は２に記載の温風暖房機。
【発明の詳細な説明】
【０００１】
【発明の属する技術分野】
本発明は、箱体構成の機器本体上面に操作部を有する温風暖房機の外観構成に関するものである。
【０００２】
【従来の技術】
従来のこの種の温風暖房機の外観構成は図６、図７に示すようにベース１とＵ形状の温風吹き出し口２を有するマエイタ３と、同様なＵ形状の給気口４を有するウライタ５を突き合わせて構成された箱体の上部天面に、操作部７を有する一体成型されたパネル６とで構成されるか、または、図８、図９で示すように、ウライタ５の上部に操作部７を有する一体成型されたパネル６を取り付け、その前面に絞り形状のマエイタ３を機器上面のパネル面と合わせて取り付けて構成されていた。
【０００３】
【発明が解決しようとする課題】
しかしながら上記従来の図６、図７で示す温風暖房機の外観構成では、側面のマエイタ３・ウライタ５・パネル６の３部品の機器両側面での合わせラインがＴ型となり、デザイン面でカラー対応する場合、この３部品の色調を同一にしないと違和感を与えるため、機器本体全体が同一色調となり、マエイタ３とウライタ５の色調が同一のため、機器の奥行きに厚みを感じるというデザイン面の課題があった。
【０００４】
一般的に床置きタイプのこの種の温風暖房機は、見た目のデザイン感覚が非常に大切であり、特に機器の厚みを薄く感じさせるデザインを取り入れることが重要なポイントになっている。
【０００５】
従って、図８、図９で示す温風暖房機の外観構成では、マエイタ３を機器の天面から一体に絞り、その両側面の合わせラインを直線とし、かつ、ウライタ５・パネル６の色調を合わせると同時に、マエイタ３の色調と差別化することにより、デザイン面での厚みを感じさせない構成をすることが出来たが、その一方で機器天面部にマエイタ３とパネル６との合せラインが入るため、その合わせ部の隙間管理の課題、及びその隙間からの注水対策とパネル上面に子供などが乗った場合の下方への外力の受け対応が複雑となると同時に、マエイタ３が絞り形状のため、全体のデザイン性が限定されるという課題があった。
【０００６】
また、従来例の図６、図７及び図８、図９のいずれの場合も、パネル６は操作部を一体成型して構成されている。
【０００７】
一方、この種の温風暖房機の場合、この合成樹脂のパネル６の材質は、安全性の観点からファンロック時の給気口４からの熱気あふれ対応のため、耐熱性の優れた難燃性素材を使用するのが一般である。しかしながら、耐熱性と難燃性に優れた素材は価格的にも一般の合成樹脂より高く、また成型加工面でも金型が複雑になるというコストデメリットがあった。
【０００８】
【課題を解決するための手段】
上記課題を解決するための請求項１に記載の発明は、マエイタとウライタとを突き合わせて構成した箱体の上部天面を、機器の操作部を有するパネルＡと、パネルＢで構成し、パネルＡとパネルＢの両側面の合わせラインと、前記マエイタとウライタの両側面の合わせラインとを一致させるとともに、前記マエイタと前記パネルＡの色調を同一とし、かつ、前記ウライタと前記パネルＢの色調を、前記マエイタと前記パネルＡの色調と異なる色調で統一して構成しており、前記ウライタと前記パネルＢの色は、前記マエイタと前記パネルＡの色より暗い濃い色とし、パネルＡの突き合わせ端部にＵ溝を設け、パネルＢの端部の一部に前記Ｕ溝に嵌合するＬ型もしくは凸部のリブを設け、パネルＡは前記リブを上から覆いかぶせるようにＵ溝に前記リブを嵌合した状態で、パネルＢがパネルＡより低い段差を形成することを特徴とする温風暖房機である。
【０００９】
請求項２に記載の発明は、マエイタとウライタとを突き合わせて構成した箱体の上部天面を、機器の操作部を有するパネルＡとパネルＢで構成し、パネルＡとパネルＢの両側面の合わせラインと、前記マエイタとウライタの両側面の合わせラインとを一致させるとともに、パネルＡの突き合わせ端部にＵ溝を設け、パネルＢの端部の一部に前記Ｕ溝に嵌合するＬ型もしくは凸部のリブを設け、パネルＡは前記リブを上から覆いかぶせるようにＵ溝に前記リブを嵌合した状態で、パネルＢがパネルＡより低い段差を形成することを特徴とする温風暖房機である。
【００１０】
請求項３に記載の発明は、パネルＢはパネルＡより耐熱温度の高い難燃性合成樹脂素材を使用することを特徴とする請求項１又は２に記載の温風暖房機である。
【００１１】
機器本体上部のパネルを機器操作部を有するパネルＡと、機器天面後部を構成するパネルＢとに分割、その際、機器両側面に出てくるパネルＡとパネルＢの嵌合時の合わせラインについて、パネルＡの側面ラインとマエイタの側面ラインを一直線に、かつ、パネルＢの側面ラインとウライタの側面ラインを一直線に構成したものである。そして、マエイタとパネルＡの色調を同一とし、かつウライタとパネルＢの色調を、マエイタとパネルＡの色調と異なる色調で統一して構成した。
【００１２】
上記発明の外観構成によれば機器本体の両側面に出てくる構成部品の合わせラインは十字型となり、デザイン的に機器本体前面を構成するパネルＡ６とマエイタ、機器本体後面を構成するパネルＢとウライタのラインを直線で分割することができる。そして、機器の前面と後面で各々統一して異なった色調に分けることができる。
【００１３】
【発明の実施の形態】
本発明の温風暖房機は、マエイタと、ウライタとを突き合わせて構成した箱体の上部天面を、機器の操作部を有するパネルＡとパネルＢの両側面の合わせラインと、前記マエイタとウライタの両側面の合わせラインとを一致させるとともに、前記マエイタと前記パネルＡの色調を同一とし、かつ前記ウライタと前記パネルＢの色調を前記マエイタと前記パネルＡの色調と異なる色調で統一し、前記ウライタと前記パネルＢの色は、前記マエイタと前記パネルＡの色より暗い濃い色としている。
【００１４】
そのため、側面から見たデザイン感覚として、機器本体前面と後面とで色調のコントラストが縦一直線的に分割されるため、機器本体の厚みを薄く感じさせ、外観を良好にすることができる。
【００１５】
本発明の温風暖房機は、天面を構成するパネルＡとパネルＢとの結合部において、どちらか一方の嵌合端部が、機器本体の両側面まで連なるＵ溝を構成し、他方がＵ溝に嵌合するＬ型もしくは凸型形状のリブを設け、パネルＡはそのリブを上から覆いかぶせるよう構成した。
【００１６】
そして、パネルＡ面よりパネルＢ面を一段低く構成することにより、万一、天面上部で水をこぼされても、機器本体内に進入することなく、機器後方に流れるため、安全性を確保することができる。
【００１７】
本発明の温風暖房機はパネルＢは、パネルＡより耐熱温度の高い難燃性合成樹脂素材を使用した。操作部を有するパネルＡは外部からの熱的負荷の影響を受けにくいため普通の合成樹脂のＡＢＳまたはＰＰ等で、また機器天面後部を構成するパネルＢは、機器運転途中のファンロック等の異常時の給気口からの熱気あふれ時対応のため、耐熱温度の高い、難燃性のある合成樹脂でそれぞれ分離、単独で成型加工する。従来と同等の安全性を確保しながら、外観を良好にし、かつコスト合理化をすることができる。
【００１８】
【実施例】
以下、本発明の実施例について図面を用いて説明する。
【００１９】
（実施例１）
図１、図２は本発明の実施例１の温風暖房機の外観斜視図である。図３は、本発明の温風暖房機の外観構成の天面中央部の部分断面図である。
【００２０】
温風暖房機の底面を構成するベース１の上に、温風吹き出し口２を有するＵ形状に加工されたマエイタ３と、温風暖房機の給気口４を有する、Ｕ形状に加工されたウライタ５が、両側面部でつき合わせられ、箱型に構成されている。その上部の温風暖房機の天面は、合成樹脂で成型加工されたパネルＡ６−ａとパネルＢ６−ｂに分割構成されている。パネルＡ６−ａには、この温風暖房機を操作する操作部７が構成されている。さらに、パネルＡ６−ａとパネルＢ６−ｂの両側面の合わせラインは、マエイタ３とウライタ５の両側面の合わせラインと同一、一直線上になるよう構成されている。
【００２１】
パネルＡ６−ａとパネルＢ６−ｂは図３の部分断面図で示すとおり、合わせライン８で突き合わせられ、場合によっては固定ネジ９により、固定されている。
【００２２】
次に、作用について説明すると、マエイタ３とパネルＡ６−ａとは同一色で統一されており、かつ、ウライタ５とパネルＢ６−ｂはさらに異なった色で統一されている。一般的には、マエイタ３とパネルＡ６−ａの色は明るい薄い色とし、ウライタ５とパネルＢ６−ｂの色は、マエイタ３とパネルＡ６−ａの色より、暗い濃い色と色調を区別することにより、両側面の同一、一直線上の合わせラインをより明確にすることが可能となり、側面から本温風暖房機を見た感覚として、機器の厚みを感じさせない、スッキリした外観デザインを構成することができる。
【００２３】
（実施例２）
図４、図５は本発明の実施例２を示す外観構成の天面中央の部分断面図である。
【００２４】
本実施例２において、実施例１と異なる点は、パネルＡ６−ａより、パネルＢ６−ｂを一段低く、段差を設け、かつ合わせライン８を側面に構成することにより、隙間から機器本体内に、万一の場合の注水浸水対策を施した構成を施したことである。
【００２５】
図４、図５の実施例で示すとおり、パネルＡ６−ａ、パネルＢ６−ｂのどちらか一方の突き合わせ端部を機器本体両側面まで、合わせライン８に連なるＵ溝１０とし、他方はその端部の一部が上記Ｕ溝１０に嵌合するＬ型もしくは凸型のリブ１１を構成することにより、万一、天面で水がこぼれても、こぼれた水は段差の低いパネルＢ６−ｂ側に流れ、かつ合わせライン８を側面とし、かつ必ず凸部の浸水防止用の壁面を構成することにより、内部への浸水を確実防止することができる。
【００２６】
なお図５は、実施例２の他の嵌合形態を示す部分断面図である。この場合は、パネルＡ６−ａとパネルＢ６−ｂの突き合わせラインはパネルＢ６−ｂの上面にできるが、パネルＢ６−ｂの端部は上に凸のＬ型のリブ１１が、浸水防止用の壁面の役割を果たすため、機器内部への浸水を防止できる。
【００２７】
（実施例３）
図１、図２は本発明の請求項３の実施例３の温風暖房機の外観構成を示す斜視図も兼用している。機器本体の天面部はパネルＡ６−ａとパネルＢ６−ｂの２部品に分割されて、それぞれ独立して成型加工できるようになっている。従って、本発明の請求項１記載の色調を変えること以外に、その合成樹脂の素材の材質そのものを変えることが可能な構成になっている。この特性を生かし、請求項３の実施例の場合、機器前面側に当たる操作部７を有するパネルＡ６−ａを成型加工する合成樹脂の素材は、普通一般的なＡＢＳ、もしくはＰＰとし、機器後面側に当たるパネルＢ６−ｂは、難燃性の優れたかつ耐熱温度の高い合成樹脂のＡＢＳ、もしくはＰＰに分けて加工したものを使用することを特徴としたものである。
【００２８】
なお、実施例１と同一符号のものは同一構造を有し、説明は省略する。
【００２９】
次に、作用を説明すると、機器前面側のパネルＡ６−ａには、操作部７が設けてある。操作部７は機器を制御する為のスイッチ等を有する操作電装基板を取りつけるため、複雑な形状が必要で、成型加工時は、特に加工条件の良い素材を選択する必要がある。一方、機器後面のパネルＢ６−ｂは、当温風暖房機のウライタ５に面しているため、当温風暖房機の万一の運転中のファンロック等の異常時の給気口４からの熱気あふれに対応できるだけの耐熱性と難燃性を備えた合成樹脂の素材を使用することを要求されている。
【００３０】
合成樹脂の場合、成型条件の良さと耐熱性・難燃性とは相反する特性であり、この特性を両立する素材はコスト的にも割高である。従って従来の様にパネル６が一体構成されていると、どうしても安全性を重視する観点から、合成樹脂の素材としては、耐熱・難燃ＡＢＳ、もしくは耐熱・難燃ＰＰを選択する必要があり、おのずと加工成型条件より、その外観デザイン性等に制約条件が加わると同時に、成型条件を良くするための金型構成上の配慮が必要となり、材料面及び加工面とも、どうしてもコスト高となっていた。
【００３１】
しかし、本実施例のように分割した部品の素材をそれぞれ要求される特性に相性のよいものに選択することにより、外観も良好にし、かつより効果的に安価にパネル部を構成することが可能となる。
【００３２】
【発明の効果】
以上説明したように本発明の温風暖房機はデザイン面から、機器本体の厚みを、より薄く、スッキリした感覚に仕上げることができるという効果がある。
【図面の簡単な説明】
【図１】本発明の実施例１、実施例３の温風暖房機の外観構成を示す前面からの斜視図
【図２】同実施例の外観構成を示す後面からの斜視図
【図３】本発明の実施例１の温風暖房機の外観構成の天面中央の部分断面図
【図４】本発明の実施例２の温風暖房機の外観構成の天面中央の部分断面図
【図５】同実施例２の他の嵌合形態を示す部分断面図
【図６】従来の温風暖房機の外観構成を示す前面からの斜視図
【図７】従来の温風暖房機の外観構成を示す後面からの斜視図
【図８】他の温風暖房機の外観構成を示す前面からの斜視図
【図９】従来の他の温風暖房機の外観構成を示す後面からの斜視図
【符号の説明】
２  温風吹き出し口
３  マエイタ
４  給気口
５  ウライタ
６−ａ  パネルＡ
６−ｂ  パネルＢ
７  操作部
８  合わせライン
１０  Ｕ溝
１１  リブ
【図１】
0004986005.tif 000002
【図２】
0004986005.tif 000003
【図３】
0004986005.tif 000004
【図４】
0004986005.tif 000005
【図５】
0004986005.tif 000006
【図６】
0004986005.tif 000007
【図７】
0004986005.tif 000008
【図８】
0004986005.tif 000009
【図９】
0004986005.tif 000010